(57)【要約】【課題】防草シート等のシート材を地面に対して強固に固定することができるアンカー部材を提供する。【解決手段】少なくとも一部が地中に埋設されるアンカー部材１であって、該アンカー部材１の長手方向に沿って成形され、地面を覆う防草シート２（その他、ビニールシートや災害防止用の防水シート等）に止着する止着部３と、該止着部３から離れる方向に突出したフランジ部５（埋没部）と、を設け、該フランジ部５を地中に埋設可能とした。【選択図】図１
2014043725.tif 000002
【特許請求の範囲】
【請求項１】
少なくとも一部が地中に埋設されるアンカー部材であって、
該アンカー部材の長手方向に沿って成形され、地面を覆うシート材に止着する止着部と、
該止着部から離れる方向に突出した埋没部と、を設け、
該埋没部を地中に埋設可能としたことを特徴とするアンカー部材。
【請求項２】
前記止着部は、互いに交差する２つ以上の面によって構成され、
これらの面のうち任意に選択した一の面に前記シート材を止着可能としたことを特徴とする請求項１に記載のアンカー部材。
【請求項３】
前記アンカー部材は、該アンカー部材の長手方向に長尺に成形され、前記止着部を有する第１のアンカー体と、前記アンカー部材の長手方向に長尺に成形され、前記止着部と対向する止着対向部を有する第２のアンカー体と、を有し、
前記第１のアンカー体と前記第２のアンカー体の少なくとも一方に前記埋設部を設け、
前記止着部を前記シート材の一方の面に当接すると共に、前記止着対向部を前記シート材の他方の面に当接し、当該シート材の一部を帯状に挟持可能としたことを特徴とする請求項１または請求項２に記載のアンカー部材。
【請求項４】
前記シート材を挟持した状態で前記第１のアンカー体と前記第２のアンカー体とを一体化して固定する固定手段を備えたことを特徴とする請求項３に記載のアンカー部材。
【請求項５】
前記止着部または前記止着対向部のいずれか一方に嵌合部を備え、
他方に前記シート材を挟んで前記嵌合部へ嵌合する嵌合受部を備えたことを特徴とする請求項３または請求項４に記載のアンカー部材。
【請求項６】
前記嵌合部と前記嵌合受部との嵌合により前記第１のアンカー体と前記第２のアンカー体との合体状態を維持可能としたことを特徴とする請求項５に記載のアンカー部材。
【請求項７】
前記第１のアンカー体と前記第２のアンカー体とが一体的に成形されたことを特徴とする請求項３から請求項６の何れか一項に記載のアンカー部材。
【請求項８】
前記第１のアンカー体および前記第２のアンカー体の少なくとも一方が可撓性を有し、
前記第１の当接部と前記第２の当接部との間隔を前記シート材の厚さよりも狭く設定したことを特徴とする請求項７に記載のアンカー部材。
【発明の詳細な説明】
【技術分野】
【０００１】
本発明は、防草シートや防水シート等のシート材を地面に固定するアンカー部材に関する。
【背景技術】
【０００２】
道路や歩道などの舗装路面の外側に舗装されていない地面がある場合、この地面で蔦等の蔓植物や雑草等の草木が繁茂すると、これらの草木が路面側に進入してくることがある。路面側に草木が張り出した場合、美観が損なわれるだけでなく、交通の障害となる可能性がある。例えば、歩道まで草木が張り出した場合、これらの草木が歩行の障害となり、転倒や怪我の要因となる可能性がある。このため、従来では、草木の育成を防止する防草シートを、複数枚地面に敷設していた。各防草シートは、隣り合う防草シートの端部同士を重ね合わせて融着または接着されるとともに、地面に敷設された防草シートの上から釘状のアンカー部材を打ち込んで固定されていた（例えば、特許文献１参照）。
【先行技術文献】
【特許文献】
【０００３】
【特許文献１】特開２０１１−２０８４３８号公報
【発明の概要】
【発明が解決しようとする課題】
【０００４】
しかしながら、釘状のアンカー部材を用いて防草シートを地面に固定する場合、防草シートは地面に対して点状に固定されるため、十分に固定することができなかった。また、隣り合うアンカー部材とアンカー部材との間の防草シートは地面に固定されておらず、地面と防草シートとの間に風が入り込み易くなっていた。地面と防草シートとの間に風が入り込むと、アンカー部材が地面から浮き上って防草シートがバタついたり、アンカー部材が地面から引き抜かれて防草シートが捲り上がったりするおそれがあった。また、竜巻や突風などの強風に煽られると、アンカー部材が勢いよく地面から抜けて路面側に飛び出すとともに、防草シートが飛散するおそれもあった。さらに、隣り合う防草シート同士を融着または接着した接合部分は、時間とともに劣化して接合力が低下するおそれがあり、この部分の防草シート同士が剥離して風が入り込むおそれがあった。また、防水シートを地面に固定する場合にも、防草シートの場合と同様に固定力不足、風によるまくれなどが問題になっていた。
【０００５】
本発明は、このような事情に鑑みてなされたものであり、その目的は、防草シート等のシート材を地面に対して強固に固定することができるアンカー部材を提供することにある。
【０００６】
本発明は、上記した目的を達成するために提案されたもので、請求項１に記載のものは、少なくとも一部が地中に埋設されるアンカー部材であって、
該アンカー部材の長手方向に沿って成形され、地面を覆うシート材に止着する止着部と、
該止着部から離れる方向に突出した埋没部と、を設け、
該埋没部を地中に埋設可能としたことを特徴とするアンカー部材である。
【０００７】
請求項２に記載のものは、前記止着部は、互いに交差する２つ以上の面によって構成され、
これらの面のうち任意に選択した一の面に前記シート材を止着可能としたことを特徴とする請求項１に記載のアンカー部材である。
【０００８】
請求項３に記載のものは、前記アンカー部材は、該アンカー部材の長手方向に長尺に成形され、前記止着部を有する第１のアンカー体と、前記アンカー部材の長手方向に長尺に成形され、前記止着部と対向する止着対向部を有する第２のアンカー体と、を有し、
前記第１のアンカー体と前記第２のアンカー体の少なくとも一方に前記埋設部を設け、
前記止着部を前記シート材の一方の面に当接すると共に、前記止着対向部を前記シート材の他方の面に当接し、当該シート材の一部を帯状に挟持可能としたことを特徴とする請求項１または請求項２に記載のアンカー部材である。
【０００９】
請求項４に記載のものは、前記シート材を挟持した状態で前記第１のアンカー体と前記第２のアンカー体とを一体化して固定する固定手段を備えたことを特徴とする請求項３に記載のアンカー部材である。
【００１０】
請求項５に記載のものは、前記止着部または前記止着対向部のいずれか一方に嵌合部を備え、
他方に前記シート材を挟んで前記嵌合部へ嵌合する嵌合受部を備えたことを特徴とする請求項３または請求項４に記載のアンカー部材である。
【００１１】
請求項６に記載のものは、前記嵌合部と前記嵌合受部との嵌合により前記第１のアンカー体と前記第２のアンカー体との合体状態を維持可能としたことを特徴とする請求項５に記載のアンカー部材である。
【００１２】
請求項７に記載のものは、前記第１のアンカー体と前記第２のアンカー体とが一体的に成形されたことを特徴とする請求項３から請求項６の何れか一項に記載のアンカー部材である。
【００１３】
請求項８に記載のものは、前記第１のアンカー体および前記第２のアンカー体の少なくとも一方が可撓性を有し、
前記第１の当接部と前記第２の当接部との間隔を前記シート材の厚さよりも狭く設定したことを特徴とする請求項７に記載のアンカー部材である。
【発明の効果】
【００１４】
請求項１に記載の発明によれば、該アンカー部材の長手方向に沿って成形され、地面を覆うシート材に止着する止着部と、該止着部から離れる方向に突出した埋没部と、を設け、該埋没部を地中に埋設可能としたので、埋没部に対する土圧により、アンカー部材が不用意に地面から引き抜けることを防止でき、シート材を地面に対して強固に固定することができる。また、アンカー部材とともにシート材を地面に埋没させれば、地面とシート材との間に風が入り込むことを防止でき、シート材のバタつき、捲り上がり、飛散等を防止することができる。さらに、アンカー部材の長手方向に沿ってシート材を止着することができるため、敷設する地面に対して線状（帯状）に固定することができ、シート材の固定を更に強固にすることができる。
【００１５】
請求項２に記載の発明によれば、止着部は、互いに交差する２つ以上の面によって構成され、これらの面のうち任意に選択した一の面にシート材を止着可能としたので、アンカー部材が埋設される現場の状況に応じて最適な面を適宜に選択し、シート材を止着することができる。これにより、アンカー部材にシート材を安定して固定することができる。
【００１６】
請求項３に記載の発明によれば、アンカー部材は、該アンカー部材の長手方向に長尺に成形され、止着部を有する第１のアンカー体と、アンカー部材の長手方向に長尺に成形され、止着部と対向する止着対向部を有する第２のアンカー体と、を有し、第１のアンカー体と第２のアンカー体の少なくとも一方に埋設部を設け、止着部をシート材の一方の面に当接すると共に、止着対向部をシート材の他方の面に当接し、当該シート材の一部を帯状に挟持可能としたので、アンカー部材へのシート材の止着を容易に行うことができる。また、土圧によりシート材を挟持でき、シート材の固定を強固にすることができる。さらに、隣り合うシート材の端部同士が重なった部分を挟持することもでき、融着や接着によらず、シート材を接合することができる。
【００１７】
請求項４に記載の発明によれば、シート材を挟持した状態で第１のアンカー体と第２のアンカー体とを一体化して固定する固定手段を備えたので、第１のアンカー体と第２のアンカー体とが離間して、シート材が引き抜けることを防止でき、シート材を地面に対して一層強固に固定することができる。
【００１８】
請求項５に記載の発明によれば、止着部または止着対向部のいずれか一方に嵌合部を備え、他方にシート材を挟んで嵌合部へ嵌合する嵌合受部を備えたので、第１のアンカー体と第２のアンカー体との位置合わせを容易に行うことができる。また、シート材の引き抜きに対する抵抗力が増大し、シート材が地面から引き抜けることを抑制できる。
【００１９】
請求項６に記載の発明によれば、嵌合部と嵌合受部との嵌合により第１のアンカー体と第２のアンカー体との合体状態を維持可能としたので、第１のアンカー体と第２のアンカー体とが離間することを抑制でき、シート材が地面から引き抜けることを一層抑制できる。
【００２０】
請求項７に記載の発明によれば、第１のアンカー体と第２のアンカー体とが一体的に成形されたので、アンカー部材を容易に作成することができる。
【００２１】
請求項８に記載の発明によれば、第１のアンカー体および第２のアンカー体の少なくとも一方が可撓性を有し、第１の当接部と第２の当接部との間隔をシート材の厚さよりも狭く設定したので、第１の当接部と第２の当接部との間に簡単にシート材を挟持することができる。
【図面の簡単な説明】
【００２２】
【図１】（ａ）はアンカー部材の斜視図であり、（ｂ）は防草シートを止着した様子を説明する斜視図である。
【図２】防草シートが敷設された路肩構造の模式図であり、（ａ）は平面図、（ｂ）はＡ−Ａ断面図である。
【図３】防草シートが敷設された路肩構造の端部を表す平面図である。
【図４】第２の実施形態におけるアンカー部材の説明図であり、（ａ）は斜視図、（ｂ）〜（ｆ）は防草シートを止着した様子を説明する断面図である。
【図５】第３の実施形態におけるアンカー部材の説明図であり、（ａ）は斜視図、（ｂ）〜（ｄ）は防草シートを止着した様子を説明する断面図である。
【図６】第４の実施形態におけるアンカー部材の分解斜視図である。
【図７】第４の実施形態におけるアンカー部材の説明図であり、（ａ）は防草シートを挟む様子を説明する断面図、（ｂ）は防草シートを挟んだ状態の断面図である。
【図８】第４の実施形態における路肩構造の模式図であり、（ａ）は平面図、（ｂ）はＢ−Ｂ断面図である。
【図９】第４の実施形態における路肩構造の端部を表す平面図である。
【図１０】第５の実施形態における路肩構造の端部を表す平面図である。
【図１１】第６の実施形態における路肩構造の模式図であり、（ａ）は平面図、（ｂ）はＣ−Ｃ断面図である。
【図１２】第７の実施形態における路肩構造の模式図であり、（ａ）は平面図、（ｂ）はＤ−Ｄ断面図である。
【図１３】第８の実施形態におけるアンカー部材の説明図であり、（ａ）は断面図、（ｂ）はアンカー部材が設置された路肩構造の断面図である。
【図１４】第９の実施形態におけるアンカー部材の説明図であり、（ａ）は防草シートを挟む様子を説明する断面図、（ｂ）は防草シートを挟んだ状態の断面図である。
【図１５】第１０の実施形態におけるアンカー部材の説明図であり、（ａ）は防草シートを挟む様子を説明する断面図、（ｂ）は防草シートを挟んだ状態の断面図である。
【図１６】第１１の実施形態におけるアンカー部材の説明図であり、（ａ）は防草シートを挟む様子を説明する断面図、（ｂ）は防草シートを挟んだ状態の断面図である。
【図１７】第１２の実施形態におけるアンカー部材の説明図であり、（ａ）は分解斜視図、（ｂ）は防草シートを挟んだ状態の断面図である。
【図１８】第１３の実施形態におけるアンカー部材の説明図であり、（ａ）は分解斜視図、（ｂ）は防草シートを挟んだ状態の正面図である。
【図１９】第１４の実施形態におけるアンカー部材の説明図であり、（ａ）は斜視図、（ｂ）は防草シートを挟む様子を説明する断面図、（ｃ）は防草シートを挟んだ状態の断面図である。
【図２０】第１５の実施形態におけるアンカー部材の説明図であり、（ａ）は斜視図、（ｂ）は防草シートを挟む様子を説明する断面図、（ｃ）は防草シートを挟んだ状態の断面図である。
【図２１】第１６の実施形態におけるアンカー部材の説明図であり、（ａ）は斜視図、（ｂ）は防草シートを挟む様子を説明する断面図、（ｃ）は防草シートを挟んだ状態の断面図である。
【図２２】法面に防草シートが敷設された路肩構造の説明図であり、（ａ）は防草シートの両端にアンカー部材を用いる構造を説明する断面図、（ｂ）は路肩ブロックと一体化された防草シートの一端にアンカー部材を用いる構造を説明する断面図である。
【発明を実施するための形態】
【００２３】
以下、本発明を実施するための形態を、添付図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。また、各実施形態に示すアンカー部材１、防草シート２、および路肩構造等の寸法等は、説明の都合上、実際の寸法、縮尺と異なる場合がある。
【００２４】
図１（ａ）はアンカー部材１の斜視図であり、図１（ｂ）は防草シート２（本発明におけるシート材に相当）を止着した様子を説明する斜視図である。図２（ａ）はアンカー部材１および防草シート２を地面２６に設置した状態の平面図であり、図２（ｂ）は図２（ａ）におけるＡ−Ａ断面図である。図３は防草シート２が敷設された路肩構造の端部を表す平面図である。
【００２５】
図１に示すように、アンカー部材１は細長く形成されており、止着部３を有するアンカー本体部４と、止着部３から離れる方向に突出したフランジ部５（本発明における埋没部に相当）とを備えている。本実施形態のアンカー部材１は、フランジ部５（フランジ部５の上面）とアンカー本体部４（止着部３）とを直交させた断面Ｌ字状に形成され、各部分、すなわちフランジ部５およびアンカー本体部４の板厚が略同じに揃えられている。なお、アンカー部材１には、樹脂、Ａｌなどの金属、木材、コンクリート等が用いられ、切削加工や成型加工等により形成される。
【００２６】
止着部３は、アンカー部材１の長手方向に沿って成形され、地面を被覆する防草シート２の一端が止着される部分である。本実施形態では、アンカー本体部４のフランジ部５側の面が止着部３に設定されている。この止着部３には、アンカー本体部４の長手方向に沿ってネジ穴６が複数（本実施形態では、両端および中央部の合計３つ）開設されており、各ネジ穴６にワッシャー７を介してネジ８を螺合できるように構成されている。そして、この止着部３に防草シート２を止着（固定）するには、止着部３に防草シート２の一方の面を当接した状態で、防草シート２の他方の面側から当該防草シート２およびワッシャー７を挟んでネジ８をネジ穴６に螺合する。なお、本実施形態の防草シート２は、ネジ８が挿通される箇所に予め挿通穴（図示せず）が開設されている。
【００２７】
次に、アンカー部材１を用いて防草シート２を地面２６に固定した路肩構造について説明する。
【００２８】
本実施形態では、図２に示すように、アスファルト等で舗装された道路２４（図２（ｂ）における左側）と地中に埋設された側溝ブロック等のブロック構造体２５（図２（ｂ）における右側）との間にある舗装されていない地面２６（路肩）に防草シート２を敷設している。また、複数枚の防草シート２からなる防草シート２の列を２列、道路２４に沿って敷設している。なお、１枚の防草シート２は、道路２４に沿った方向の長さが当該方向に沿って配置されるアンカー部材１（縦アンカー部材１ａ）の長さよりも長く、かつ、道路２４の幅方向の長さが道路２４とブロック構造体２５との間隔よりも短く設定されている。そして、防草シート２の列は、列方向において隣り合う防草シート２の端部同士が重なり合うように配置されて重なり領域２７を形成している。ここで、防草シート２は、蔦等の植物が地面２６から伸びるのを防ぐシートであり、例えば、遮光性、耐腐食性、耐熱性及び非透水性を有する合成樹脂製シートが望ましい。遮光性を有するのは、防草シート２の下部に混入した植物に光を通さないようにするためであり、非透水性を有するのは、防草シート２の下の地面２６に水が入らないようにするためである。
【００２９】
縦アンカー部材１ａは、止着部３にネジ８を用いて防草シート２の端部を帯状に固定した状態で、道路２４側の端部、ブロック構造体２５側の端部、および、これらの中間部の地中に道路２４に沿って複数埋設されている。詳しく説明すると、各縦アンカー部材１ａは、長手方向の端部が防草シート２の重なり領域２７の中央に位置するように複数隙間なく列設されている。そして、各縦アンカー部材１ａは、全体が地中に埋設され、その上面（アンカー本体部４の上面）が地面２６の上面と面一になるように揃えられている。これに伴い、縦アンカー部材１ａに止着される防草シート２の端部は、下方に折り曲げられ、地中に埋設されている。
【００３０】
より詳しく説明すると、図２に示すように、道路２４側に列設された縦アンカー部材１ａは、止着部３とは反対側の面を道路２４と隣接させ、フランジ部５を道路２４とは反対側の地中に延出（埋設）させている。ブロック構造体２５側に列設された縦アンカー部材１ａは、止着部３とは反対側の面をブロック構造体２５と隣接させ、フランジ部５をブロック構造体２５とは反対側の地中に延出させている。中間部に列設された縦アンカー部材１ａは、道路２４側に列設された縦アンカー部材１ａと同じく、止着部３とは反対側の面を道路２４側に向けた状態で配置し、フランジ部５をブロック構造体２５側の地中に延出させている。そして、道路２４側の縦アンカー部材１ａは、２列の防草シート２の列のうち左側（道路２４側）の防草シート２の列の左側端部を地中において帯状に固定（止着）している。また、ブロック構造体２５側の縦アンカー部材１ａは、２列の防草シート２の列のうち右側（ブロック構造体２５側）の防草シート２の列の右側端部を地中において帯状に固定している。これら道路２４側の縦アンカー部材１ａおよびブロック構造体２５側の縦アンカー部材１ａの長手方向の両端部は、防草シート２の重なり領域２７に位置するため、２枚の防草シート２を重ねてネジ８で固定している。一方、中間部の縦アンカー部材１ａは、２列の防草シート２の列のうち左側の防草シート２の列の右側端部、および、右側の防草シート２の列の左側端部を地中において２枚重ねて帯状に固定している。そして、中間部の縦アンカー部材１ａの長手方向の両端部は、防草シート２の両側の列の重なり領域２７に位置するため、４枚の防草シート２を重ねてネジ８で固定している。
【００３１】
このような、路肩構造を施工するためには、予め道路２４とブロック構造体２５との間の地面２６を埋設するアンカー部材１の高さの分だけを掘り下げ、この掘り下げた地面２６に防草シート２の一端を固定した道路２４側の縦アンカー部材１ａを道路２４に当接させた状態で載置する。次に、防草シート２の固定されていない部分を道路２４側に捲った状態で、載置した道路２４側の縦アンカー部材１ａから道路２４とブロック構造体２５との中間まで、元の高さ（道路２４の高さ）と同じになるように土砂等を敷き詰めて平らに均す。次に、中間部の縦アンカー部材１ａを、敷き詰めた土砂等の側面に当接させた状態で載置する。そして、一端が道路２４側の縦アンカー部材１ａに固定された防草シート２を道路２４側からこの中間までの地面２６の上に被せ、その防草シート２の他端を下方に折り曲げて他の防草シート２（ブロック構造体２５側の地面２６を被覆する防草シート２）の一端と重ね合わせた状態で中間部の縦アンカー部材１ａの止着部３にネジ８を用いて固定する。次に、ブロック構造体２５側の地面２６を被覆する防草シート２の固定されていない部分を道路２４側に捲った状態で、中間部の縦アンカー部材１ａからブロック構造体２５側まで、元の高さと同じになるように土砂等を敷き詰めて平らに均す。このとき、土砂等とブロック構造体２５との間に縦アンカー部材１ａを挿入できる隙間２８を設けておく。そして、この敷き詰められた土砂等（地面２６）の上を一端が中間部の縦アンカー部材１ａに固定された防草シート２によって被覆するとともに、その防草シート２の他端をブロック構造体２５側に載置される縦アンカー部材１ａにネジ８を用いて固定する。このブロック構造体２５側に載置される縦アンカー部材１ａを、防草シート２をブロック構造体２５側に引っ張りながら、アンカー本体部４の上端部を支点としてフランジ部５を上方から下方に向けて回転させ、該フランジ部５を前記した隙間２８に挿入する。その後、止着部３とは反対側から押圧して、フランジ部５を地面２６の内部に差し込む。最後に残った隙間２８に生コンクリートや樹脂等を流し込み、その後に固化させて地面２６あるいはブロック構造体２５の一部を形成する。なお、この隙間２８に土砂を敷き詰めて平らに均してもよい。また、ブロック構造体２５側に載置される縦アンカー部材１ａを、フランジ部５がブロック構造体２５側に向いた状態で埋設してもよい。この場合、フランジ部５をブロック構造体２５側に向いた状態で隙間２８の底部に載置して、フランジ部５上に土砂を載せて埋めるようにする。
【００３２】
また、図３に示すように、防草シート２の列の端部においては、アンカー部材１（横アンカー部材１ｂ）が、長手方向を防草シート２の幅方向に沿わせた状態で埋設されている。本実施形態の横アンカー部材１ｂは、道路２４とブロック構造体２５との間隔の半分の長さに揃えられており、２つの横アンカー部材１ｂが路面とブロック構造体２５との間に隙間なく列設されている。また、各横アンカー部材１ｂは、止着部３とは反対側の面を縦アンカー部材１ａの長手方向の端面に当接させ、フランジ部５を縦アンカー部材１ａとは反対側に向けて延出させている。そして、防草シート２の列の端部は、ネジ８によって地中で止着部３に固定されている。
【００３３】
上記のように、アンカー部材１の長手方向に沿って成形され、地面を覆う防草シート２に止着（固定）する止着部３と、該止着部３から離れる方向に突出したフランジ部５と、を設け、該フランジ部５を地中に埋設可能としたので、フランジ部５に対する土圧により、アンカー部材１が不用意に地面から引き抜けることを防止でき、防草シート２を地面に対して強固に固定することができる。また、アンカー部材１とともに防草シート２を地面に埋没させることで、地面と防草シート２との間に風が入り込むことを防止でき、防草シート２のバタつき、捲り上がり、飛散等を防止することができる。さらに、アンカー部材１の長手方向に沿って防草シート２を止着することができるため、敷設する地面に対して線状（帯状）に固定することができ、防草シート２の固定を更に強固にすることができる。
【００３４】
ところで、アンカー部材１を用いて防草シート２を地面２６に固定した路肩構造は上記した実施形態に限られない。例えば、アンカー部材１の長手方向の寸法を短くして、各アンカー部材間に間隔を設けるように配置してもよい。また、上記実施形態では、ネジ８を用いて止着部に防草シートを止着したが、これには限られない。例えば、防草シートを介して釘やステープル等を止着部に打ち込むことで、防草シートをアンカー部材に固定してもよい。さらに、止着部３の構成は、上記した実施形態に限られない。例えば、図４に示す第２の実施形態のように、止着部３を断面コ字状あるいは鉤状に形成してもよいし、図５に示す第３の実施形態のように、止着部３を断面逆Ｕ字状に形成してもよい。
【００３５】
詳しく説明すると、図４に示す第２の実施形態では、止着部３が互いに交差する複数の面（止着面３ａ〜３ｃ）によって構成され、これらの面３ａ〜３ｃのうち任意に選択した一の面に防草シート２を止着可能としている。具体的には、止着部３は、アンカー本体部４の上端部分のうちフランジ部６とは反対側の面からなる第１の止着面３ａと、アンカー本体部４の上端からフランジ部６と略平行に延在した平行部分４ａの上面からなる第２の止着面３ｂと、この平行部分４ａの先端（アンカー本体部４とは反対側）からフランジ部６側へ向けてアンカー本体部４と略平行に延在した垂直部分４ｂの外面（アンカー本体部４とは反対側の面）からなる第３の止着面３ｃと、から構成されている。そして、各止着面３ａ〜３ｃの短手方向（平行部分４ａまたは垂直部分４ｂの延在方向）の中央部分には、長手方向に沿って溝１０が設けられており、この溝１０内の長手方向に沿って複数（本実施形態では、各溝に３つ）のネジ穴６が開口されている。なお、本実施形態における各止着面３ａ〜３ｃのネジ穴６は、各ネジ穴６にネジ８を挿通した状態において、ネジ穴６を貫通したネジ８の先端同士が干渉しないように、長手方向の位置をずらして配置されている。
【００３６】
次に、第２の実施形態におけるアンカー部材１に防草シート２を止着した様子を、図４（ｂ）〜図４（ｆ）を用いて説明する。図４（ｂ）に示すアンカー部材１では、防草シート２がネジ８によって第１の止着面３ａに止着（固定）されている。この場合、例えば、防草シート２を地上においてフランジ部６側に折り曲げ、この折り曲げた部分を第２の止着面３ｂに当接させて支持できるため、安定して防草シート２を固定することができる。
また、防草シート２を第１の止着面３ａに止着することに加えて、図４（ｅ）に示すように、防草シート２の折り曲げた部分を第２の止着面３ｂにネジ８を用いて止着することもできる。このようにすれば、防草シート２をより強固に固定することができる。また、図４（ｃ）に示すアンカー部材１では、防草シート２がネジ８によって第２の止着面３ｂにのみ止着（固定）されている。この場合は、例えば、防草シート２の中間部分（端部以外の部分）を止着するのに好適である。さらに、図４（ｄ）に示すアンカー部材１では、防草シート２がネジ８によって第３の止着面３ｃに止着（固定）されている。この場合、例えば、防草シート２を地上においてアンカー本体部４側に折り曲げ、この折り曲げた部分を第２の止着面３ｂに当接させて支持できるため、安定して防草シート２を固定することができる。また、防草シート２を第３の止着面３ｃに止着することに加えて、図４（ｆ）に示すように、防草シート２の折り曲げた部分を第２の止着面３ｂにネジ８を用いて止着することもできる。このようにすれば、防草シート２をより強固に固定することができる。
【００３７】
止着部３の何れの止着面３ａ〜３ｃに防草シート２を止着するかは、防草シート２に対するアンカー部材１の設置位置および設置方向によって適宜に選択することができる。これにより、アンカー部材１に防草シート２を安定して固定することができる。なお、止着部は、少なくとも、互いに交差する２つの面によって構成されていれば、どのような形状であってもよい。例えば、上記した垂直部分を有さず、アンカー本体部の上端から延在した平行部分のみを有するアンカー部材１であってもよい。また、その他の構成は、上記した第１の実施形態と同じであるため説明を省略する。
【００３８】
また、図５に示す第３の実施形態では、アンカー本体部４の上端部分からフランジ部６側に向けて断面逆Ｕ字状に形成した逆Ｕ字状部分４ｃを有している。この逆Ｕ字状部分４ｃの外側の面が止着部３に相当し、防草シート２を止着可能なようにネジ穴６を複数開口している。本実施形態では、逆Ｕ字状部分４ｃのアンカー本体部４側の側面部、頂部、および、フランジ部６側の側面部に、それぞれアンカー部材１の長手方向に沿って３つずつネジ穴６を設けている。なお、各部分に列設されるネジ穴６は、各ネジ穴６にネジ８を挿通した状態において、ネジ穴６を貫通したネジ８の先端同士が干渉しないように、長手方向の位置をずらして配置されている。
【００３９】
次に、第３の実施形態におけるアンカー部材１に防草シート２を止着した様子を、図５（ｂ）〜図５（ｄ）を用いて説明する。図５（ｂ）に示すアンカー部材１では、防草シート２が、逆Ｕ字状部分４ｃのアンカー本体部４側の側面部にネジ８によって止着（固定）されている。この場合、防草シート２は、逆Ｕ字状部分４ｃの曲面に沿ってフランジ部６側に折り曲げられ、地面の上を被覆する。また、図５（ｃ）に示すアンカー部材１では、防草シート２が、逆Ｕ字状部分４ｃのフランジ部６側の側面部にネジ８によって止着（固定）されている。この場合、防草シート２は、逆Ｕ字状部分４ｃの曲面に沿ってフランジ部６とは反対側に折り曲げられ、地面の上を被覆する。これに加えて、図５（ｄ）に示すアンカー部材１では、防草シート２が逆Ｕ字状部分４ｃの頂部にもネジ８によって止着（固定）されている。このように、逆Ｕ字状部分４ｃのフランジ部６側の側面部および頂部で防草シート２を止着すれば、防草シート２をより強固に固定することができる。なお、図５（ｂ）に示すアンカー部材１においても、頂部にネジ８を用いて防草シート２を止着することもできる。また、頂部のみに防草シート２を止着することも可能である。この場合は、例えば、防草シート２の中間部分（端部以外の部分）を止着するのに好適である。さらに、その他の構成は、上記した第１の実施形態と同じであるため説明を省略する。
【００４０】
また、アンカー部材の構成は、上記した各実施形態に限られない。例えば、図６〜図９に示す第４の実施形態のように、アンカー部材を２つの部材で構成し、これらの間に防草シートの一端を挟持することで、当該防草シートをアンカー部材に固定してもよい。
【００４１】
図６は第４の実施形態におけるアンカー部材１１の分解斜視図である。図７（ａ）は防草シート２を挟む直前の状態を説明する第４の実施形態におけるアンカー部材１１の断面図であり、図７（ｂ）は防草シート２を挟んだ状態の第４の実施形態におけるアンカー部材１１の断面図である。図８（ａ）および図９は第４の実施形態におけるアンカー部材１１および防草シート２を地面２６に設置した状態の平面図であり、図８（ｂ）は図８（ａ）におけるＢ−Ｂ断面図である。
【００４２】
図６に示すように、本実施形態のアンカー部材１１は棒状に細長く形成されており、アンカー部材１１の長手方向に沿って長尺に成形された第１のアンカー体１３と、同じくアンカー部材１１の長手方向に沿って長尺に成形された第２のアンカー体１４と、から構成され、地面２６を被覆する防草シート２をこれら第１のアンカー体１３と第２のアンカー体１４で挟持できるように構成されている。本実施形態では、図６および図７に示すように、第１のアンカー体１３は断面Ｌ字状に形成され、第２のアンカー体１４は断面Ｉ字状（直方体状あるいは長尺な板状）に形成されている。なお、第１のアンカー体１３と第２のアンカー体１４は、長手方向の長さが略同じ長さに揃えられるとともに、その高さも略同じ高さに揃えられている。また、第１のアンカー体１３および第２のアンカー体１４には、樹脂、Ａｌなどの金属、木材、コンクリート等が用いられ、切削加工や成型加工等により形成される。
【００４３】
第１のアンカー体１３は、第１の当接部１６（本発明における止着部に相当）を有する第１のアンカー本体部１７と、第１の当接部１６から離れる方向に突出したフランジ部１８（本発明における埋没部に相当）とが備えられている。第１のアンカー本体部１７は、第２のアンカー体１４と対向する板状に形成され、第２のアンカー体１４と対向する側の面（フランジ部１８とは反対側の面）が、施工後において防草シート２と当接する（第２のアンカー体１４とともに防草シート２を挟持する）第１の当接部１６に設定されている。この第１の当接部１６には、その高さ方向の途中において、防草シート２側（第２のアンカー体１４側）に突出した嵌合部１９が備えられている。本実施形態の嵌合部１９は、第１のアンカー体１３の長手方向に沿った断面円弧状の凸条に形成されている。フランジ部１８は、第１のアンカー本体部１７と略同じ厚さに揃えられた板状に形成され、第１のアンカー本体部１７の下端部から外側に向けて突出している。本実施形態では、フランジ部１８（フランジ部１８の上面）と第１のアンカー本体部１７（第１のアンカー本体部１７のフランジ部１８側の面）との成す角が直角になるように形成されている。
【００４４】
第２のアンカー体１４は、第１のアンカー本体部１７より僅かに厚い板状に形成され、第１のアンカー本体部１７の第１の当接部１６と対向する側の面が、施工後において防草シート２と当接する（第１のアンカー体１３とともに防草シート２を挟持する）第２の当接部２１（本発明における止着対向部に相当）に設定されている。この第２の当接部２１には、その高さ方向の途中において、防草シート２を挟んで嵌合部１９と嵌合できる嵌合受部２２が形成されている。本実施形態の嵌合受部２２は、断面円弧状の嵌合部１９に対応して、第２のアンカー体１４の長手方向に沿って断面円弧状に凹んだ溝状に形成されている。
【００４５】
次に、アンカー部材１１を用いて防草シート２を地面２６に固定した路肩構造について図８および図９を用いて説明する。
【００４６】
本実施形態では、第１の実施形態の路肩構造と同様に、スファルト等で舗装された道路２４（図８（ｂ）における左側）と地中に埋設された側溝ブロック等のブロック構造体２５（図８（ｂ）における右側）との間にある舗装されていない地面２６（路肩）に防草シート２を敷設している。また、複数枚の防草シート２からなる防草シート２の列を２列、道路２４に沿って敷設している。なお、１枚の防草シート２は、道路２４に沿った方向の長さが当該方向に沿って配置されるアンカー部材１１（縦アンカー部材１１ａ）の長さよりも長く、かつ、道路２４の幅方向の長さが道路２４とブロック構造体２５との間隔よりも短く設定されている。そして、防草シート２の列は、列設方向において隣り合う防草シート２の端部同士が重なり合うように配置されて重なり領域２７を形成している。
【００４７】
縦アンカー部材１１ａは、第１のアンカー体１３の第１の当接部１６と第２のアンカー体１４の第２の当接部２１とにより防草シート２の端部を帯状に挟持した状態で、道路２４側の端部、ブロック構造体２５側の端部、および、これらの中間部の地中に道路２４に沿って複数埋設されている。詳しく説明すると、各縦アンカー部材１１ａは、長手方向の端部が防草シート２の重なり領域２７の中央に位置するように複数隙間なく列設されている。そして、各縦アンカー部材１１ａは、全体が地中に埋設され、その上面（第１のアンカー体１３の上面および第２のアンカー体１４の上面）が地面２６の上面と面一になるように揃えられている。これに伴い、縦アンカー部材１１ａ（第１のアンカー体１３と第２のアンカー体１４）に挟持される防草シート２の端部は、下方に折り曲げられ、地中に埋設されている。
【００４８】
より詳しく説明すると、図８に示すように、道路２４側に列設された縦アンカー部材１１ａは、第２のアンカー体１４の第２の当接部２１（防草シート２）とは反対側の面を道路２４と隣接させ、第１のアンカー体１３のフランジ部１８を道路２４とは反対側の地中に延出（埋設）させている。ブロック構造体２５側に列設された縦アンカー部材１１ａは、第２のアンカー体１４の第２の当接部２１（防草シート２）とは反対側の面をブロック構造体２５と隣接させ、第１のアンカー体１３のフランジ部１８をブロック構造体２５とは反対側の地中に延出させている。中間部に列設された縦アンカー部材１１ａは、道路２４側に列設された縦アンカー部材１１ａと同じく、第２のアンカー体１４を道路２４側に、第１のアンカー体１３をブロック構造体２５側に向けた状態で配置し、フランジ部１８をブロック構造体２５側の地中に延出させている。ここで、各縦アンカー部材１１ａは、嵌合部１９と嵌合受部２２とが防草シート２を挟んで嵌合された状態（防草シート２を挟持した状態）で地中に埋設されている。具体的には、道路２４側の縦アンカー部材１１ａは、２列の防草シート２の列のうち左側（道路２４側）の防草シート２の列の左側端部を地中において帯状に挟持している。また、ブロック構造体２５側の縦アンカー部材１１ａは、２列の防草シート２の列のうち右側（ブロック構造体２５側）の防草シート２の列の右側端部を地中において帯状に挟持している。そして、これら道路２４側の縦アンカー部材１１ａおよびブロック構造体２５側の縦アンカー部材１１ａの長手方向の両端部は、防草シート２の重なり領域２７に位置するため、２枚の防草シート２を重ねて挟持している。一方、中間部の縦アンカー部材１１ａは、２列の防草シート２の列のうち左側の防草シート２の列の右側端部、および、右側の防草シート２の列の左側端部を地中において２枚重ねて帯状に挟持している。そして、中間部の縦アンカー部材１１ａの長手方向の両端部は、防草シート２の両側の列の重なり領域２７に位置するため、４枚の防草シート２を重ねて挟持している。
【００４９】
このような、路肩構造を施工するためには、予め道路２４とブロック構造体２５との間の地面２６を埋設するアンカー部材１１の高さの分だけを掘り下げ、この掘り下げた地面２６に防草シート２の一端を挟持した道路２４側の縦アンカー部材１１ａを道路２４に当接させた状態で載置する。次に、防草シート２の挟持されていない部分を道路２４側に捲った状態で、載置した道路２４側の縦アンカー部材１１ａから道路２４とブロック構造体２５との中間まで、元の高さ（道路２４の高さ）と同じになるように土砂等を敷き詰めて平らに均す。次に、中間部の縦アンカー部材１１ａの第２のアンカー体１４を、敷き詰めた土砂等の側面に当接させた状態で載置する。そして、一端が道路２４側の縦アンカー部材１１ａに挟持された防草シート２を道路２４側からこの中間までの地面２６の上に被せ、その防草シート２の他端を下方に折り曲げて他の防草シート２（ブロック構造体２５側の地面２６を被覆する防草シート２）の一端と重ね合わせた状態で中間部の第２のアンカー体１４の第２の当接部２１に当接させる。その後、中間部の第１のアンカー体１３を載置することで、この中間部の縦アンカー部材１１ａによって道路２４側の地面２６を被覆した防草シート２の他端とブロック構造体２５側の地面２６を被覆する防草シート２の一端が挟持される。次に、ブロック構造体２５側の地面２６を被覆する防草シート２の挟持されていない部分を道路２４側に捲った状態で、ブロック構造体２５側の縦アンカー部材１１ａの第１のアンカー体１３を載置する。このとき、この第１のアンカー体１３とブロック構造体２５との間に、第２のアンカー体１４とほぼ同じ形状の隙間を設けておく。そして、載置した中間部の縦アンカー部材１１ａからブロック構造体２５側の第１のアンカー体１３まで、元の高さと同じになるように土砂等を敷き詰めて平らに均す。この敷き詰められた土砂等（地面２６）の上を一端が中間部の第１のアンカー体１３に挟持された防草シート２によって被覆するとともに、その防草シート２の他端を下方に折り曲げてブロック構造体２５側の第１のアンカー体１３の第１の当接部１６に当接する。最後に、ブロック構造体２５と防草シート２の他端を当接させた第１のアンカー体１３との間の隙間に生コンクリートや樹脂等を流し込み、その後に固化させることで、ブロック構造体２５側の第２のアンカー体１４が形成される。これにより、ブロック構造体２５側の地面２６を被覆した防草シート２の他端がブロック構造体２５側の縦アンカー部材１１ａによって挟持され、上記のような路肩構造を施工することができる。なお、ブロック構造体２５と防草シート２の他端を当接させた第１のアンカー体１３との間の隙間に、予め成形した第２のアンカー体１４を上方から嵌め込むようにしてもよい。
【００５０】
また、図９に示すように、防草シート２の列の端部においては、アンカー部材１１（横アンカー部材１１ｂ）が、長手方向を防草シート２の幅方向に沿わせた状態で埋設されている。本実施形態の横アンカー部材１１ｂは、道路２４とブロック構造体２５との間隔の半分の長さに揃えられており、２つの横アンカー部材１１ｂが路面とブロック構造体２５との間に隙間なく列設されている。また、各横アンカー部材１１ｂは、第２のアンカー体１４の第２の当接部２１とは反対側の面を縦アンカー部材１１ａの長手方向の端面に当接させ、第１のアンカー体１３を第２のアンカー体１４とは反対側に配置させている。そして、防草シート２の列の端部は、横アンカー部材１１ｂによって地中で帯状に挟持されている。
なお、アンカー部材は、少なくとも一部が地中に埋設されていればよく、必ずしも全体が埋設される必要はない。例えば、図１２に示すように、一部を地表に露出させた状態で埋設してもよい。詳しくは、後述する。また、防草シートの列は、２列に限らず、１列でもよいし、３列以上にしてもよい。
【００５１】
このように、本実施形態によれば、第１の当接部１６と第２の当接部２１とにより防草シート２の一部を帯状に挟持可能としたので、防草シート２を敷設する地面２６に対して線状（帯状）に固定することができ、防草シート２の固定を強固にすることができる。また、地面２６と防草シート２との間に風が入り込むことを防止でき、防草シート２のバタつき、捲り上がり、飛散等を防止することができる。さらに、隣り合う防草シート２の端部同士が重なった部分（重なり領域２７）を挟持することもでき、融着や接着によらず、防草シート２を接合することができる。このため、接合力の低下を抑制でき、防草シート２の固定を強固にすることができる。加えて、第１のアンカー体１３と第２のアンカー体１４との挟持によって、防草シート２を第１の当接部１６（または第２の当接部２１）に止着可能としたので、アンカー部材１１への防草シート２の止着を容易に行うことができる。
【００５２】
また、防草シート２を挟持した第１の当接部１６および第２の当接部２１を地中に埋設したので、土圧により第１の当接部１６および第２の当接部２１がそれぞれ防草シート２側に押圧され、防草シート２の挟持をより強固にすることができる。さらに、第１のアンカー体１３に、第１の当接部１６から離れる方向に突出したフランジ部１８を設け、該フランジ部１８を地中に埋設可能としたので、フランジ部１８に対する土圧により、アンカー部材１１が地面２６から引き抜けることを防止でき、防草シート２を地面２６に対して更に強固に固定することができる。加えて、第１の当接部１６に嵌合部１９を備え、第２の当接部２１に防草シート２を挟んで嵌合部１９へ嵌合する嵌合受部２２を備えたので、第１のアンカー体１３と第２のアンカー体１４との位置合わせを容易に行うことができる。また、防草シート２の引き抜きに対する抵抗力が増大し、防草シート２が地面から引き抜けることを抑制できる。
【００５３】
ところで、アンカー部材１１を用いて防草シート２を地面２６に固定した路肩構造は上記した各実施形態に限られない。例えば、図１０に示す第５の実施形態のように、アンカー部材１１同士の間隔をあけて配置してもよい。また、図１１に示す第６の実施形態、および、図１２に示す第７の実施形態のように、重なり合った防草シート２同士を接合固定するようにしてもよい。なお、図１０〜図１２に示す第５〜第７の実施形態では、第４の実施形態のアンカー部材１１を用いて説明しているが、上記した実施形態のアンカー部材のほか、以降で説明する種々の実施形態のアンカー部材を用いることもできる。
【００５４】
具体的に説明すると、図１０に示す第５の実施形態の路肩構造では、防草シート２の道路２４に沿った方向の長さの半分よりも短い長さの縦アンカー部材１１ａと、路面とブロック構造体２５との間隔の半分よりも短い長さの横アンカー部材１１ｂとを用いている。この場合、図１０に示すように、防草シート２の長辺のうち四隅の部分は縦アンカー部材１１ａによって帯状に挟持された状態で埋設されるが、その他の中央部分は縦アンカー部材１１ａに挟持されずに地面２６に埋設される。なお、本実施形態では、防草シート２の重なり領域２７を設けず、列設方向の防草シート２の端部同士が隣接するように設定されている。そして、道路２４に沿った方向に隣接する防草シート２の境界では、縦アンカー部材１１ａ同士が隣接している。また、防草シート２の列方向の両端部では、道路２４側の端部およびブロック構造体２５側の端部に配置された横アンカー部材１１ｂによって帯状に挟持されて地面２６に埋設される。道路２４とブロック構造体２５の中間において横アンカー部材１１ｂが配置されない部分は、横アンカー部材１１ｂに挟持されずに地面２６に埋設される。このように、アンカー部材１１ａ、１ｂの長さを短くすることで、製造コストを削減することができる。なお、その他の構成は、上記した第４の実施形態と同じであるため説明を省略する。
【００５５】
また、図１１に示す第６の実施形態の路肩構造では、防草シート２の重なり領域２７に釘状の釘アンカー２９を用いて、防草シート２の継目部分を地面２６に固定している。具体的には、釘アンカー２９を、２枚重なった防草シート２の上方からこれらを貫いて地中に打ち込むことで、防草シート２の重なり領域２７を地面２６に固定している。本実施形態の釘アンカー２９は、各防草シート２の重なり領域２７において、防草シート２の列の幅方向に間隔を開けて４つ列設されている。これにより、防草シート２の重なり領域２７において、重なり合った防草シート２の間に風が進入することを抑制することができ、防草シート２の固定をより強固にすることができる。なお、その他の構成は、上記した第４の実施形態と同じであるため説明を省略する。
【００５６】
さらに、図１２に示す第７の実施形態の路肩構造では、防草シート２の重なり領域２７に、道路２４とブロック構造体２５との間隔の半分よりも短い長さの横アンカー部材１１ｂを用いて、防草シート２を地面２６に固定している。具体的には、横アンカー部材１１ｂの第１のアンカー体１３は、フランジ部１８を下方にした状態で第１の当接部１６の縁が地面２６の上面と面一になるように、防草シート２の重なり領域２７の下方の地面２６に埋設される。なお、本実施形態の第１のアンカー体１３は、長手方向が防草シート２の幅方向に沿うように載置されている。そして、第１のアンカー体１３の上方から、防草シート２の重なり領域２７に、すなわち２枚の防草シート２を挟んで嵌合部１９と嵌合受部２２とが嵌合するように第２のアンカー体１４を載置し、これらの防草シート２を挟持している。なお、第２のアンカー体１４をコンクリートや金属で形成し、その自重によって防草シート２を挟持した状態を維持することができる。その他、第１のアンカー体１３、第２のアンカー体１４、および各防草シート２の間を接着剤等により接着したり、固定具（図１７、図１８参照）により第１のアンカー体１３と第２のアンカー体１４とを固定したりすることで、防草シート２を挟持した状態を維持できる。このように、第１のアンカー体１３の第１の当接部１６と第２のアンカー体１４の第２の当接部２１とによって、防草シート２の道路２４に沿った方向の端部（防草シート２の重なり領域２７）を帯状に挟持したので、重なり合った防草シート２の間に風が進入することを抑制することができ、防草シート２の固定をより強固にすることができる。なお、その他の構成は、上記した第４の実施形態と同じであるため説明を省略する。
【００５７】
また、上記した第２の実施形態のアンカー部材１（図４参照）を第１のアンカー体１３として用いることもできる。例えば、図１３に示す第８の実施形態では、第２の実施形態のアンカー部材１を第１のアンカー体１３とし、第２のアンカー体１４と組み合わせてアンカー部材１１を構成している。すなわち、第２の実施形態のアンカー部材１が本実施形態の第１のアンカー体１３に相当する。なお、この第１のアンカー体１３の構成は、第２の実施形態と同じであるため、説明を省略する。
【００５８】
本実施形態における第２のアンカー体１４は、第１のアンカー体１３とほぼ同じ板厚に形成されると共に、第１のアンカー体１３の平行部分４ａとほぼ同じ長さおよび幅に形成された板状部材である。そして、この第２のアンカー体１４の底面、すなわち、第１のアンカー体１３の止着部３（第１の当接部）のうち第２の止着面３ｂに対向する面が、止着対向部２３（第２の当接部）に相当する。この第２のアンカー体１４の上面（止着対向部２３とは反対側の面）には、第２の止着面３ｂの溝１０と位置が揃えられた溝３０が形成されており、この溝３０内に第２の止着面３ｂのネジ穴６と位置が揃えられたネジ穴（図示せず）が開設されている。なお、第２のアンカー体１４は、第１の止着面３ａや第３の止着面３ｃに対向するように構成してもよい。この場合、第２のアンカー体１４のネジ穴は、対向する面に開設されたネジ穴６と位置を揃えて開設される。そして、防草シート２は、第１のアンカー体１３の止着部３のうち何れかの止着面３ａ〜３ｃと、第２のアンカー体１４の止着対向部２３との間で挟持された状態で、ネジ８を用いて第１のアンカー体１３と第２のアンカー体１４とを固定することで、アンカー部材１１に強固に固定される。
【００５９】
次に、アンカー部材１１を用いて防草シート２を地面２６に固定した路肩構造について説明する。本実施形態では、図１３（ｂ）に示すように、アスファルト等で舗装された道路２４（図１３（ｂ）における左側）と地中に埋設された側溝ブロック等のブロック構造体２５（図１３（ｂ）における右側）との間にある舗装されていない地面２６（路肩）に防草シート２を敷設している。また、複数枚の防草シート２からなる防草シート２の列を２列、道路２４に沿って敷設している。
【００６０】
また、本実施形態では、道路２４側の端部およびブロック構造体２５側の端部に第１のアンカー体１３のみ、すなわち、第２の実施形態のアンカー部材１が防草シート２の列に沿って列状に配置（埋設）され、道路２４とブロック構造体２５との中間部にアンカー部材１１が防草シート２の列に沿って列状に配置（埋設）されている。詳しく説明すると、道路２４側に埋設されたアンカー部材１は、第２の止着面３ｂを地面２６の上面と面一になるように露出させた状態で、第１の止着面３ａを道路２４と隣接させ、フランジ部５を道路２４とは反対側の地中に延出（埋設）させている。この道路２４側に埋設されたアンカー部材１の第１の止着面３ａに、２列の防草シート２の列のうち左側（道路２４側）の防草シート２の列の左側端部が、地中において帯状に固定（止着）されている。ブロック構造体２５側に埋設されたアンカー部材１は、第２の止着面３ｂを地面２６の上面と面一になるように露出させた状態で、第１の止着面３ａを道路２４側に向け、フランジ部５をブロック構造体２５側の地中に延出（埋設）させている。なお、このアンカー部材１とブロック構造体２５との間には隙間２８が設けられており、アンカー部材１を地中に埋設し易くしている。そして、道路２４側に埋設されたアンカー部材１の第３の止着面３ｃに、２列の防草シート２の列のうち右側（ブロック構造体２５側）の防草シート２の列の右側端部が、地中において帯状に固定（止着）されている。中間部に埋設されたアンカー部材１１は、第１のアンカー体１３の第２の止着面３ｂを地面２６の上面と面一になるように設定し、第１の止着面３ａを道路２４側に向け、フランジ部５をブロック構造体２５側の地中に延出（埋設）させている。このアンカー部材１１の第２のアンカー体１４は、第１のアンカー体１３の第２の止着面３ｂの上方から載置され、ネジ８によって第１のアンカー体１３に固定されている。この第１のアンカー体１３と第２のアンカー体１４との間に、左側（道路２４側）の防草シート２の右側端部と右側（ブロック構造体２５側）の防草シート２の左側端部とが重ねられた状態で挟持されている。
【００６１】
なお、本実施形態では、道路２４側の端部およびブロック構造体２５側の端部に第１のアンカー体１３のみ、すなわち、第２の実施形態のアンカー部材１を埋設したが、これらに第２のアンカー体１４を組み合わせることもできる。すなわち、道路２４側の端部およびブロック構造体２５側の端部に、本実施形態のアンカー部材１１を用いることもできる。例えば、道路２４側の端部に埋設されるアンカー部材１の第１の止着面３ａに防草シート２を止着すると共に、この防草シート２の折り曲げた部分を第２の止着面３ｂに当接させ、第２の止着面３ｂの上方から第２のアンカー体１４を、防草シート２を挟持した状態で固定してもよい。このようにすれば、防草シート２をより強固に固定することができる。また、アンカー部材１の止着部３のうち何れの止着面３ａ〜３ｃに防草シート２を止着してもよい。例えば、道路２４側の端部に埋設されるアンカー部材１の第３の止着面３ｃ（ブロック構造体２５側の面）に防草シート２を止着したり、ブロック構造体２５側の端部に埋設されるアンカー部材１の第１の止着面３ａ（道路２４側の面）に防草シート２を止着したりすることもできる。ただし、この場合は、防草シート２が第２の止着面３ｂに当接しないため、より安定して防草シート２を固定するためには、上記した第８の実施形態のように構成し、防草シート２を第２の止着面３ｂに当接させることが望ましい。
【００６２】
ところで、アンカー部材の構成は上記した各実施形態に限られない。
例えば、図１４に示す第９の実施形態、図１５に示す第１０の実施形態、および、図１６に示す第１１の実施形態では、第１のアンカー体１３の嵌合部１９′、および第２のアンカー体１４の嵌合受部２２′の形状を上記した第４〜第７の実施形態とは異なる形状に形成している。また、図１７に示す第１２の実施形態、および、図１８に示す第１３の実施形態では、第１のアンカー体１３と第２のアンカー体１４とを一体化して固定する固定具を備えている。さらに、図１９に示す第１４の実施形態、図２０に示す第１５の実施形態、および、図２１に示す第１６の実施形態では、第１のアンカー体と第２のアンカー体とが一体的に成形されている。
【００６３】
具体的に説明すると、図１４に示す第９の実施形態では、第１のアンカー体１３′の第１の当接部１６′に断面波型状の嵌合部１９′が形成されている。より詳しく説明すると、本実施形態の嵌合部１９′は、防草シート２側（第２のアンカー体１４′側）に突出した断面円弧状の凸条を２つ上下に連続させた断面波型状に形成されている。また、第２のアンカー体１４′の第２の当接部２１′には、防草シート２を挟んで嵌合部１９′と嵌合できる嵌合受部２２′が形成されている。すなわち、本実施形態の嵌合受部２２′は、嵌合部１９′に対応させて、断面円弧状に凹んだ凹条を２つ上下に連続させた断面波型状に形成されている。そして、防草シート２は、この波型状の嵌合部１９′と嵌合受部２２′とにより挟持される。これにより、防草シート２のアンカー部材１１′からの引き抜きに対する抵抗力（摩擦力）を高めることができ、防草シート２を挟持する力を高めることができる。なお、その他の構成は、上記した実施形態と同じであるため説明を省略する。
【００６４】
また、図１５に示す第１０の実施形態では、嵌合部１９′と第２の嵌合受部２２′との嵌合により第１のアンカー体１３′と第２のアンカー体１４′との合体状態を維持可能としている。本実施形態の嵌合部１９′は、防草シート２側（第２のアンカー体１４′側）に突出した凸条の先端が断面円形状に形成され、その根元部（第２のアンカー体１４′とは反対側の部分）の上下の幅（高さ）が先端側の一部より狭くなるように形成されている。また、嵌合受部２２′は、防草シート２を挟んで嵌合部１９′と嵌合できるように断面円形状の凹条に形成され、その内側の途中から入口に向けて開口幅が次第に狭くなるように形成されている。なお、本実施形態の第２のアンカー体１４′は、板厚が一定に揃えられており、嵌合受部２２′の凹みに対応させて第１のアンカー体１３′（防草シート２）とは反対側の面を断面円形状に突出させている。また、嵌合部１９′と嵌合受部２２′とが防草シート２を介して嵌合できるように、第１のアンカー体１３′および第２のアンカー体１４′の少なくとも一方は、可撓性を有する樹脂等で形成される。これにより、防草シート２を挟んで嵌合受部２２′と嵌合部１９′とを嵌合すれば、第１のアンカー体１３′と第２のアンカー体１４′との合体状態が維持される。その結果、防草シート２のアンカー部材１１′からの引き抜きに対する抵抗力（摩擦力）を高めることができ、防草シート２を挟持する力を高めることができる。また、第１のアンカー体１３′と第２のアンカー体１４′とが離間することを抑制でき、防草シート２が地面から引き抜けることを一層抑制できる。なお、その他の構成は、上記した実施形態と同じであるため説明を省略する。
【００６５】
さらに、図１６に示す第１１の実施形態のアンカー部材１１′では、上記した第１０の実施形態のアンカー部材１１′に比べて掘り下げた地面に載置する際の安定性を更に高めている。具体的に説明すると、本実施形態の第２のアンカー体１４′は、嵌合受部２２′の凹みよりも板厚を厚くすることで、第１のアンカー体１３′（防草シート２）とは反対側の面を平面状に形成している。このように第２のアンカー体１４′の板厚を厚くすることで、載置時の安定性が向上する。また、第２のアンカー体１４′の第１のアンカー体１３′とは反対側の面を平面状に形成したので、垂直に掘り下げた地面の第２のアンカー体１４′に対向する部分に対して平面的に当接させることができる。これにより、載置時の安定性が更に向上する。また、第２のアンカー体１４′の第２の当接部２１′には、中央部分に設けられた嵌合受部２２′を挟んで上下に２箇所、凹状部５９が形成されている。この凹状部５９は、第２の当接部２１′から反対側に向けて、嵌合受部２２′の底部とほぼ同じ位置まで形成されている。すなわち、嵌合受部２２′の深さとほぼ同じ深さに形成されている。そして、この凹状部５９によって、第２のアンカー体１４′の各所の肉厚がほぼ同じに揃えられている。具体的には、嵌合受部２２′の底部と第１のアンカー体１３′とは反対側の面との間の肉厚、嵌合受部２２′の上下の内面とこれらに対向する凹状部５９の内面との間の肉厚、および、各凹状部５９の嵌合受部２２′とは反対側の内面と第２のアンカー体１４′の外形との間の肉厚が、ほぼ同じに揃えられている。これにより、第２のアンカー体１４′を成型によって容易に作成することができる。
【００６６】
また、本実施形態の第１のアンカー体１３′は、第１の当接部１６′から防草シート２側（第２のアンカー体１４′側）に向けて突出した嵌合部１９′に対応させて、第２のアンカー体１４′（防草シート２）とは反対側の面から当該嵌合部１９′の内部に向けて切欠部６０を形成している。この切欠部６０の内面と嵌合部１９′の外形との間に挟まれた部分の肉厚は、第１のアンカー本体部１７′におけるその他の部分の肉厚（板厚）とほぼ同じに揃えられている。すなわち、第１のアンカー体１３′は、板厚が一定に揃えられている。これにより、第１のアンカー体１３′を成型によって容易に作成することができる。
なお、本実施形態では、第１０の実施形態と同じように、嵌合部１９′は、根元部（第２のアンカー体１４′とは反対側の部分）の上下の幅（高さ）が先端側の一部より狭くなるように形成され、これに嵌合する嵌合受部２２′は、内側の途中から入口に向けて開口幅が次第に狭くなるように形成されている。また、その他の構成は、上記した第１０の実施形態と同じであるため説明を省略する。
【００６７】
図１７に示す第１２の実施形態では、ボルト３１およびナット３２（本発明における固定手段の一種）を用いて、第１のアンカー体１３と第２のアンカー体１４とを一体化して固定できるように構成されている。本実施形態の第１のアンカー体１３″では、第１のアンカー本体部１７″を板厚方向に貫通させた第１の貫通穴３３を２つ設けている。これに対応して、第２のアンカー体１４″でも、同様に第２のアンカー体１４″を板厚方向に貫通させた第２の貫通穴３４を２つ設けている。そして、第１のアンカー体１３″と第２のアンカー体１４″が防草シート２を挟持した状態で、第１の貫通穴３３および第２の貫通穴３４に一側（本実施形態では、第１のアンカー体１３側）からボルト３１を挿入するとともに、他側（第２のアンカー体１４側）からナット３２を用いて当該ボルト３１に止着することで、第１のアンカー体１３″と第２のアンカー体１４″を固定している。これにより、第１のアンカー体１３″と第２のアンカー体１４″とが離間することを抑制でき、防草シート２が地面から引き抜けることを一層抑制できる。その結果、防草シート２を地面２６に対して一層強固に固定することができる。なお、防草シート２には、第１の貫通穴３３および第２の貫通穴３４に対応する箇所（ボルト３１が挿入される箇所）に挿通穴（図示せず）が設けられている。また、その他の構成は、上記した実施形態と同じであるため説明を省略する。
【００６８】
また、図１８に示す第１３の実施形態では、固定板３６および固定ネジ３７（本発明における固定手段の一種）を用いて、第１のアンカー体１３″と第２のアンカー体１４″とを一体化して固定できるように構成されている。本実施形態のアンカー部材１１″では、第１のアンカー体１３″の正面（長手方向の端面）において高さ方向の中央部に第１のネジ穴３８を設け、同様に、第２のアンカー体１４″の正面において高さ方向の中央部に第２のネジ穴３９を設けている。第１のアンカー体１３″と第２のアンカー体１４″とを固定する固定板３６は、金属製の板状に形成され、防草シート２を挟持した状態のアンカー部材１１″の第１のネジ穴３８および第２のネジ穴３９に対応する箇所に貫通孔４０が２つ設けられている。そして、第１のアンカー体１３と第２のアンカー体１４が防草シート２を挟持した状態で、貫通孔４０を介して第１のネジ穴３８および第２のネジ穴３９にそれぞれ固定ネジ３７を螺合することで、固定板３６をアンカー部材１１″に固定することができる。これにより、第１のアンカー体１３と第２のアンカー体１４とが不用意に離間することを抑制でき、防草シート２が地面から引き抜けることを一層抑制できる。その結果、防草シート２を地面２６に対して一層強固に固定することができる。なお、その他の構成は、上記した実施形態と同じであるため説明を省略する。また、図１８では、アンカー部材１１″の長手方向の一側（正面側）にのみ固定板３６を固定しているが、他側（裏面側）に固定板３６を固定してもよい。
【００６９】
ところで、上記した各実施形態では、フランジ部をアンカー本体部４または第１のアンカー本体部１７の下端部から外側に向けて突出させた断面Ｌ字状に形成したが、これには限られない。例えば、フランジ部をアンカー本体部または第１のアンカー本体部の上下方向（高さ方向）の中央部から外側に向けて突出させてもよい。また、上記した実施形態では、フランジ部１８をアンカー本体部４または第１のアンカー本体部１７と直交させた板状に形成したが、これには限られない。要は、地中に埋設されてアンカー部材の引き抜きを抑制できれば、フランジ部はどのような形状であってもよい。さらに、上記した第４〜第１３の実施形態では、第１のアンカー体１３にフランジ部１８を設けたが、これには限られない。例えば、第２のアンカー体にフランジ部を設けてもよい。要は、第１のアンカー体および第２のアンカー体の少なくとも一方に、当該アンカー体の当接部（止着部）から離れる方向に突出したフランジ部を備えていればよい。また、上記した第４〜第１３の実施形態では、第１のアンカー体１３の第１の当接部１６、１６′に嵌合部１９、１９′を設け、第２のアンカー体１４の第２の当接部２１、２１′に嵌合受部２２、２２′を設けたが、これには限られない。例えば、第２のアンカー体の第２の当接部に嵌合部を設け、第１のアンカー体の第１の当接部に嵌合受部を設けてもよい。さらに、嵌合部１９、１９′および嵌合受部２２、２２′の形状は、上記した第４〜第１３の実施形態に限られない。要は、嵌合部と嵌合受部が防草シートを挟んで嵌合できればどのような形状でもよい。また、上記した第１２または第１３の実施形態では、ボルト３１およびナット３２、固定板３６および固定ネジ３７等の固定具を用いて、第１のアンカー体１３と第２のアンカー体１４とを一体化して固定したが、これには限られない。このような固定具を用いずに、接着剤を用いて、第１のアンカー体と第２のアンカー体とを一体化して固定してもよい。例えば、第１のアンカー体と防草シートとの間、および防草シートと第２のアンカー体との間等に接着剤を用いて、これらを固定してもよい。要は、第１のアンカー体と第２のアンカー体とを一体化して固定する固定手段を備えていればよい。
【００７０】
また、上記した第４〜第１３の実施形態では、第１のアンカー体１３と第２のアンカー体１４とが別体に形成されていたが、第１のアンカー体と第２のアンカー体とを一体的に成形してもよい。
第１４の実施形態のアンカー部材４１は、図１９に示すように、可撓性を有する樹脂等により一体成型されている。具体的には、アンカー部材４１は、第１の当接部４２（図１９（ｂ）参照）を有する第１の挟持部４３と、該第１の挟持部４３の下方において第１の当接部４２から離れる方向に斜めに突出した第１の支持部４４と、第１の当接部４２と対向する第２の当接部４５（図１９（ｂ）参照）を有する第２の挟持部４６と、該第２の挟持部４６の下方において第２の当接部４５から離れる方向に斜めに突出した第２の支持部４７と、第１の支持部４４の下端および第２の支持部４７の下端とを繋ぐ基部４８とから構成されている。第１の挟持部４３の第１の当接部４２と第２の挟持部４６の第２の当接部４５とは平面状に形成され、これらの当接部は隙間なく当接されている。なお、本実施形態のアンカー部材４１は、この当接面を中心面として左右対称に形成されている。また、第１の挟持部４３、第１の支持部４４、および基部４８の第１の挟持部４３側の部分が、本発明における第１のアンカー体に相当し、第２の挟持部４６、第２の支持部４７、および基部４８の第２の挟持部４６側の部分が、本発明における第２のアンカー体に相当する。さらに、第１の支持部４４、第２の支持部４７、および基部４８が本発明における埋設部に相当する。
【００７１】
このように第１の挟持部４３、第１の支持部４４、第２の挟持部４６、第２の支持部４７、および基部４８（第１のアンカー体および第２のアンカー体）を一体的に成形したので、第１のアンカー体と第２のアンカー体とを別個に作成する必要がなく、アンカー部材４１を容易に作成することができる。なお、本実施形態では、第１の挟持部４３の第１の当接部４２側の上面、および、第２の挟持部４６の第２の当接部４５側の上面は、面取りされている。これにより、第１の当接部４２と第２の当接部４５との間に手や機材を入れて、これらの間を離隔させ易くすることができる。そして、この第１の当接部４２と第２の当接部４５とが離隔した離隔状態においてこれらの間に防草シート２を挿入し、その後、この離隔状態を解除することで、第１の当接部４２と第２の当接部４５との間に簡単に防草シート２を挟持することができる。また、アンカー部材４１の可撓変形から復元しようとする力によって、防草シート２を挟持した状態を維持することができる。なお、本実施形態のアンカー部材４１を用いた路肩構造については上記した実施形態と同じであるため説明を省略する。
【００７２】
また、第１５の実施形態のアンカー部材４１は、図２０に示すように、第１の挟持部４３の第１の当接部４２に断面波型状の嵌合部５０が形成され、第２の挟持部４６の第２の当接部４５に防草シート２を挟んで嵌合部５０と嵌合できる断面波型状の嵌合受部５１が形成されている。詳しく説明すると、本実施形態の嵌合部５０は、防草シート２側（第２の当接部４５側）に突出した断面円弧状の凸条を２つ上下に連続させた断面波型状に形成されている。また、本実施形態の嵌合受部５１は、嵌合部５０に対応させて、断面円弧状に凹んだ溝を２つ上下に連続させた断面波型状に形成されている。そして、防草シート２は、この波型状の嵌合部５０と嵌合受部５１とにより挟持される。これにより、防草シート２のアンカー部材４１からの引き抜きに対する抵抗力（摩擦力）を高めることができ、防草シート２を挟持する力を高めることができる。なお、その他の構成は、上記した第１４の実施形態と同じであるため説明を省略する。
【００７３】
ところで、上記した第１４の実施形態および第１５の実施形態では、アンカー部材４１を、当接面を中心面として左右対称に形成したが、これには限られない。例えば、第１の挟持部および第１の支持部（第１のアンカー体）、または、第２の挟持部および第２の支持部（第２のアンカー体）のいずれか一方の板厚を厚くして、可撓変形しにくくすることで、挟持部の強度を高めてもよい。要は、第１のアンカー体および第２のアンカー体の少なくとも一方が可撓変形できればよい。また、上記した第１４の実施形態および第１５の実施形態では、第１の当接部４２と第２の当接部４５とを隙間なく当接させたが、これには限られない。要は、第１の当接部と第２の当接部との間隔を防草シートの厚さよりも狭く設定することで、防草シートを挟持した状態を維持できればよい。
【００７４】
さらに、第１のアンカー体と第２のアンカー体とを一体的に成形したアンカー部材の形状は、上記した実施形態に限られない。
例えば、第１６の実施形態のアンカー部材５３は、図２１に示すように、可撓性を有する樹脂等により円筒形状に形成されている。そして、アンカー部材５３の長手方向に沿って防草シート２の厚さよりも狭い間隔のスリット開口５４を設けている。このスリット開口５４の相対向する内側面のうち一方（図２１における右側）の面が第１の当接部５５（止着部）に相当し、他方（図２１における左側）の面が第２の当接部５６（止着対向部）に相当する。なお、第１の当接部５５と第２の当接部５６との中間を通る仮想平面を中心面として、この面より第１の当接部５５側の半円筒部分が第１のアンカー体に相当し、第２の当接部５６側の半円筒部分が第２のアンカー体に相当する。
【００７５】
本実施形態では、スリット開口５４の開口幅を広げて、第１の当接部５５と第２の当接部５６とを離隔する。そして、これらの間に防草シート２を挿入し、その後、この離隔状態を解除することで、第１の当接部５５と第２の当接部５６との間に簡単に防草シート２を挟持することができる。また、アンカー部材５３の可撓変形から復元しようとする力によって、防草シート２を挟持した状態を維持することができる。なお、その他の構成は、上記した実施形態と同じであるため説明を省略する。
【００７６】
また、上記した各実施形態では、舗装された道路２４の路面と同じ高さに揃えられた地面を有する路肩に対して防草シート２が敷設されたが、これには限られない。例えば、図２２に示すように、斜めに傾斜した法面部６３等に対して、防草シート２を敷設する場合でも、本発明のアンカー部材１１を用いることができる。ここで、図２２（ａ）は、防草シート２の両端にアンカー部材１１を用いた路肩構造を示し、図２２（ｂ）は、路肩ブロック６６と一体化された防草シート２の一端にアンカー部材１１を用いた路肩構造を示している。なお、図２２では、第４の実施形態のアンカー部材１１が用いられているが、これには限られず、上記した全ての実施形態のアンカー部材を用いることができる。
【００７７】
図２２（ａ）に示す第１６の実施形態では、アスファルト等で舗装された道路２４に隣接し、当該道路２４の路面と同じ高さに揃えられた路肩部６２と、この路肩部６２の道路２４とは反対側に隣接し、同側に向けて下り傾斜した法面部６３とを備えた路肩構造に防草シート２が敷設されている。具体的には、防草シート２は道路２４と路肩部６２との境界部分から法面部６３の途中までの地面を覆うように敷設されている。そして、この防草シート２の道路２４側の端部および法面部６３側の端部にアンカー部材１１が用いられ、これらのアンカー部材１１によって防草シート２の両端部が地中において帯状に挟持されている。
【００７８】
各アンカー部材１１は、フランジ部１８の延出方向が地面と略水平に設定された状態で地中に埋設されている。詳しくは、路肩部６２に埋設されたアンカー部材１１は、フランジ部１８を道路２４とは反対側に延出させた状態で、当該フランジ部１８の上面と路肩部６２の地面とが略水平になるように設定されている。一方、法面部６３に埋設されたアンカー部材１１は、フランジ部１８を道路２４とは反対側に延出させた状態で、当該フランジ部１８の上面と法面部６３の地面とが略水平になるように設定されている。なお、本実施形態では、防草シート２を道路２４に沿って１列に敷設しているが、第４の実施形態と同じように、道路２４に沿って２列に敷設してもよい。また、防草シート２を道路２４に沿って複数列敷設することもできる。これらの場合には、隣接する防草シートの列の間にもアンカー部材が用いられる。これにより、隣接する２枚の防草シートの一端を地中において挟持することができる。さらに、その他の構成は、上記した第４の実施形態と同じであるため説明を省略する。
【００７９】
図２２（ｂ）に示す第１７の実施形態では、法面部６３を被覆する防草シート２′を一体的に形成した路肩ブロック６６が、道路２４に隣接する路肩部６２に載置されている。本実施形態の路肩部６２は、地面の上に基礎砕石および敷モルタルを積層した基礎部６４が形成されており、この基礎部６４の上に路肩ブロック６６が載置されている。この路肩ブロック６６は、道路２４に沿って列設された板状のブロックであり、上面が道路２４の路面と同じ高さに揃えられている。また、本実施形態の路肩ブロック６６は、列設方向に対して直交する方向の幅が路肩部６２の幅と同じに揃えられている。そして、路肩ブロック６６の法面部６３側の側面には、防草シート２′の一端が内部に埋め込まれている。本実施形態では、路肩ブロック６６の法面部６３側の上方の角部分が面取りされており、この面取りされた部分の下方における側面に防草シート２′の一端が埋め込まれている。この防草シート２′の路肩ブロック６６に埋め込まれていない残余の部分は、路肩ブロック６６から法面部６３の途中までの地面を覆うように敷設されている。
【００８０】
そして、防草シート２′の他端が、法面部６３の地中においてアンカー部材１１に挟持されている。具体的には、この法面部６３のアンカー部材１１は、上記した第１６の実施形態と同じように、フランジ部１８を道路２４とは反対側に延出させた状態で、当該フランジ部１８の上面と法面部６３の地面とが略水平になるように埋設されている。なお、本実施形態の防草シートの他端側（路肩ブロックとは反対側）に、通常の防草シート（路肩ブロックと一体化されていない防草シート）を隣接させて敷設することもできる。この場合には、隣接する両防草シートの間にもアンカー部材が用いられる。これにより、両防草シートの一端を地中において挟持することができる。また、その他の構成は、上記した第１６の実施形態と同じであるため説明を省略する。
【００８１】
また、上記した各実施形態では、アスファルト等で舗装された道路２４と地中に埋設された側溝ブロック等のブロック構造体２５との間にある舗装されていない地面２６（路肩）に防草シート２を敷設したが、これには限られない。例えば、舗装された道路と道路の間の地面や、境界ブロックと側溝ブロックとの間の地面等に防草シート２を敷設することができる。そして、舗装されていない地面に対して防草シートを敷設する際に、本発明のアンカー部材を用いることができる。さらに、防草シートに限らず、畑等にビニールシートや災害防止用の防水シート等を敷設する場合でも、本発明のアンカー部材を用いることができる。ここで、防草シートは、主に日光を遮断することにより雑草の育成を防止するものであるが、防水シートは、主に水の浸入を防止するものであり、防水シートを使用すると、雨水が地中に浸入することを効率良く抑制することができる。したがって、防水シートに本発明のアンカー部材を用いることで、雨水による土砂崩れを防止でき、災害防止を期待できる。また、ビニールシート等に用いる場合、アンカー部材は、ビニールシート等を止着して畑等の土中に埋設されることになる。
【００８２】
また、上記した各実施形態におけるアンカー部材の長さ、高さ、フランジ部の長さ等の各所の寸法は、埋設される地面の構造や、シート材の材質、厚さ、寸法等に合わせて適宜に決定することができる。
そして、本発明は上記した実施形態に限らず、特許請求の範囲内での全ての変更が含まれる。
【符号の説明】
【００８３】
１、１１、４１、５３    アンカー部材
２    防草シート
３    止着部
３ａ    第１の止着面
３ｂ    第２の止着面
３ｃ    第３の止着面
４    アンカー本体部
５    フランジ部
６    ネジ穴
８    ネジ
９、２７    重なり領域
１３    第１のアンカー体
１４    第２のアンカー体
１６、４２、５５    第１の当接部
１７    第１のアンカー本体部
１８    フランジ部
１９、５０    嵌合部
２１、４５、５６    第２の当接部
２２、５１    嵌合受部
２４    道路
２５    ブロック構造体
２６    地面
２９    釘アンカー
３１    ボルト
３２    ナット
３３    第１の貫通穴
３４    第２の貫通穴
３６    固定板
３７    固定ネジ
３８    第１のネジ穴
３９    第２のネジ穴
４１    アンカー部材
４３    第１の挟持部
４４    第１の支持部
４６    第２の挟持部
４７    第２の支持部
４８    基部
５３    アンカー部材
５４    スリット開口
【図１】
2014043725.tif 000003
【図２】
2014043725.tif 000004
【図３】
2014043725.tif 000005
【図４】
2014043725.tif 000006
【図５】
2014043725.tif 000007
【図６】
2014043725.tif 000008
【図７】
2014043725.tif 000009
【図８】
2014043725.tif 000010
【図９】
2014043725.tif 000011
【図１０】
2014043725.tif 000012
【図１１】
2014043725.tif 000013
【図１２】
2014043725.tif 000014
【図１３】
2014043725.tif 000015
【図１４】
2014043725.tif 000016
【図１５】
2014043725.tif 000017
【図１６】
2014043725.tif 000018
【図１７】
2014043725.tif 000019
【図１８】
2014043725.tif 000020
【図１９】
2014043725.tif 000021
【図２０】
2014043725.tif 000022
【図２１】
2014043725.tif 000023
【図２２】
2014043725.tif 000024